(57)【要約】      （修正有）【課題】組立体全体の折り畳みが可能で、保管場所の省スペース化が実現でき、製品同士の干渉を防止する組仕切り体を提供する。【解決手段】組仕切り体１は、箱に配置して物品を区画して収容することができるものであって、外枠２と、中仕切りとを備えている。中仕切りが、第１中仕切り３ａと第２中仕切り３ｂとを備えている。第１中仕切り３ａは、第１スリットと、第１スリットの片側の中央部に第１スリットと直交する方向に連続する切り込みが形成され、第１スリットの両端部に向かって傾斜して一対の対称形状の傾斜折れ線が形成されることにより形成される三角形状の開閉部材を有する。【選択図】図１
0003171196.tif 000002
【実用新案登録請求の範囲】
【請求項１】
物品を区画して収容することができる組仕切り体であって、
複数の中仕切りを交差して連結するものであり、
前記中仕切りが、
スリットと、当該スリットに隣接して配置される切り込みにより開閉する一対の三角形状の開閉部材と、を有する第１中仕切りと、
前記第１中仕切りと交差する方向に配置され、前記スリットに貫通可能な形状に設定され、長手方向の中央部で折れ曲げ可能とされ、前記スリットに係合する嵌合溝を有する第２中仕切りと、
を備えることを特徴とする組仕切り体。
【請求項２】
前記中仕切りに連結できる外枠を備える請求項１の組仕切り体。
【請求項３】
前記外枠の一端部に台形形状、Ｕ字形状又はＶ字形状の第２スリットを備え、
前記外枠の他端部に前記第２スリットに係合し、基部に一対の切り込みを形成する折り曲げ片を備える請求項１又は２の組仕切り体。
【請求項４】
前記外枠に第３スリットを備え、
前記中仕切りに、
一対の折り曲げ片と、
当該折り曲げ片に両側を挟まれる、前記折り曲げ片よりも大きな突出片と、
前記折り曲げ片と突出片の間に、長手方向に形成される一対の切り込みと、
前記突出片にコ字形状又はＵ字形状の切り込みを備え、当該切り込みにより係止片が形成され、当該切り込みの端部で折り曲げ可能である請求項１乃至３いずれか１項に記載の組仕切り体。
【考案の詳細な説明】
【技術分野】
【０００１】
本発明は、離間部材や緩衝部材として例えば商品や製品の梱包時や収納時に用いる仕切体に関するものである。
【背景技術】
【０００２】
特許文献１に記載の発明は、装箱全体の軽量化が図れるだけでなく、収容物品の緩衝性やホールド性を向上させるものである。すなわち、特許文献１の図８に示す通り、物品の収容部２を有する組仕切り体１であって、全体が気泡シート５で形成される箱本体３に、収容部２の底面をなす底部１８と、収容部２の側方を囲む側壁部１９、２０と、収容部２を複数に仕切る中仕切り部２１とを備え、中仕切り部２１が、箱本体２と一体であり、底部１８に起立状に折り曲げ形成される中仕切り３と、箱本体３と別体であり、中仕切り３と交差する方向に配置される中仕切り３とを備え、中仕切り３が、撓み変形状態で中仕切り３の孔２８に側方から貫通され、貫通後に展開されて中仕切り３に係合する。
【０００３】
特許文献２に記載の発明は複数の仕切板１を、互いに直角に交差連結して構成する仕切体であって、一方の仕切板１Ａの先端部切り込み２を形成して、この仕切板１Ａの先端部に、前記切り込み２を形成して、この仕切り１Ａの先端部に、前記切り込み２と、前記仕切り板１Ａの長さ方向に沿った折縁とを介して、この仕切り板の板面方交差する方向に折曲自在な折曲片部３を設け、他方の仕切板１Ｂの板面には、前記折曲片部３を折曲した状態で一方の仕切板１Ａの先端部を嵌挿係止孔４ を設け、この係止孔４に前記一方の仕切板１Ａの先端部を嵌挿して前記折曲片部３を戻り復帰させることで抜け止め状態となり前記一方の仕切板１Ａと他方の仕切板１Ｂとが交差連結されるように構成したものである。
【０００４】
特許文献３に記載の発明は、組み合わせが外れにくく、仕切り部分のズレが生じ難い組仕切りを提供する。すなわち、特許文献３の図１に示す通り、横仕切り板１と縦仕切り板２を縦横に組み合わせて使用する組仕切りで、横仕切り板１端部に差し込み部分１ａと戻り抑え部分１ｂを設け、差し込み部分１ａを縦仕切り板２に設けた差し込み用穴に差し込み、差し込み部分１ａを折り曲げて戻り抑え部分１ｂを逆方向に突出させることにより、差し込み部分１ａの抜けを防止し、また差し込み部分の位置と個数を調整することにより仕切り部分のズレを防止する。
【先行技術文献】
【特許文献】
【０００５】
【特許文献１】特開２０１１−３１９０８号公報
【特許文献２】特開２００４−１３１１５３号公報
【特許文献３】実用新案登録第３１５１１７６号公報
【考案の概要】
【考案が解決しようとする課題】
【０００６】
特許文献１では、組立ての際、仕切りの折れが１８０度であり、組立作業が円滑ではない、全体の折り畳みが困難であり、保管場所を要する、という課題がある。
【０００７】
特許文献２では、コーナー部に突出部が残り、作業の邪魔になる、外観が悪い、という課題がある。
【０００８】
特許文献３では、仕切りが外れ易い、補助穴２ｃの穴スペースが大きく、収容する製品同士の干渉が起きるという課題がある。
【０００９】
そこで本考案は、組立体全体の折り畳みが可能で、保管場所の省スペース化が実現でき、製品同士の干渉を防止する組仕切り体を提供することを課題とする。
【課題を解決するための手段】
【００１０】
上記課題に鑑み、本考案の組仕切り体１は、物品を区画して収容することができる組仕切り体であって、複数の中仕切り３が交差して連結するものであり、この中仕切り３が、第１スリット４と、第１スリット４に隣接して配置される切り込み５により開閉する一対の三角形状の開閉部材７と、を有する第１中仕切り３ａと、第１中仕切り３ａと交差する方向に配置され、第１スリット４に貫通可能な形状に構成され、長手方向の中央部で折れ曲げ可能に構成され、第１スリット４に係合する嵌合溝９を有する第２中仕切り３ｂと、を備えることを特徴とする。また、本考案は、中仕切り３と連結可能な外枠２を備えることが好ましい。
【００１１】
また、本考案の組仕切り体１は、外枠２の一端部に台形形状、Ｕ字形状又はＶ字形状の第２スリット１０を備え、外枠２の他端部に第２スリット１０に係合し、基部に一対の切り込み１４を形成する折り曲げ片１６を備えることが好ましい。
【００１２】
さらに、本考案の組仕切り体１は、外枠２に第３スリット１８を備え、中仕切り３に、一対の折り曲げ片１９と、折り曲げ片１９に両側を挟まれる、折り曲げ片１９よりも大きな突出片２０と、折り曲げ片１９と突出片２０の間に、長手方向に形成される一対の切り込み２１と、突出片２０にコ字形状又はＵ字形状の切り込み２４を備え、切り込み２４により係止片２５が形成され、切り込み２４の端部で折り曲げ可能であることが好ましい。
【考案の効果】
【００１３】
本考案によれば、組仕切り体全体を折り畳むことができ、保管場所の省スペース化が可能である。
【００１４】
外枠同士の連結部分、外枠と中仕切りの連結部分が外れにくい効果がある。
【００１５】
外枠同士の連結部から外部に突出する部材がなく、邪魔にならず、美観を損なうこともない。
【００１６】
また、外枠と中仕切りの連結部分において、穴のスペースを最小限にすることができ、そのスペースを通じての、収容する製品同士の干渉を防止できる。
【図面の簡単な説明】
【００１７】
【図１】本考案の実施形態による組仕切り体１の斜視図である。
【図２】（ａ）同実施形態による中仕切り３ａの一部を示す正面図、（ｂ）は中仕切り３ｂの一部を示す正面図である。
【図３】（ａ）（ｂ）は同実施形態による中仕切り３ａと３ｂの組立手順を示す斜視図である。
【図４】同実施形態の変形例による中仕切り３ａと３ｂの連結体である。
【図５】（ａ）（ｂ）は同実施形態による外枠の端部を示す正面図である。
【図６】（ａ）〜（ｄ）は同実施形態による外枠２の組立手順を示す斜視図である。
【図７】（ａ）は外枠の一部を示す正面図、（ｂ）は中仕切り３の端部を示す正面図である。
【図８】（ａ）（ｂ）は外枠２と中仕切り３の組立手順１を示す斜視図である。
【図９】（ａ）（ｂ）は外枠２と中仕切り３の組立手順２を示す斜視図である。
【考案を実施するための形態】
【００１８】
以下に、本考案の好適な一実施形態である組仕切り体１について図面を参照して説明する。
【００１９】
図１〜図９に示すように、本発明の実施形態に係る組仕切り体１は、箱に配置して物品を区画して収容することができるものであって、外枠２と、中仕切り３と、を備えている。中仕切り３が、第１中仕切り３ａと第２中仕切り３ｂとを備えている。第１中仕切り３ａは、第１スリット４と、この第１スリット４の片側の中央領域に第１スリット４と直交する方向に連続する切り込み５が形成され、第１スリット１の両端部に向かって傾斜して一対のＶ字形状傾斜折れ線６が形成されることにより形成される三角形状の一対の開閉部材７を有する。
【００２０】
ここでは、外枠２が２枚、第１中仕切り３ａが２枚、第２中仕切り３ｂが１枚から構成される例について説明する。なお、外枠２をなくして第１中仕切り３ａと３ｂのみで組仕切り体１を構成してもよく、枚数は２枚以上で組み立ててもよい。
【００２１】
外枠２、中仕切り３の構造はプラスチック製の段ボール構造が好ましいが、発泡体等、その他の構造でもよい。また、プラスチック段ボールの中空部の仕切り壁の方向は任意である。ここでは外枠２、中仕切り３の長手方向に延出することが好ましい。図では断面構造の図示は省略してある。
【００２２】
また、曲げることが可能な強度と厚みを持った素材が適している。本考案の組仕切り体１は少なくとも２枚の外枠２と、少なくとも２枚の中仕切り３を組み合わせて使用する。
【００２３】
次に、中仕切り３同士の連結構造について説明する。図２に示す通り、第２中仕切り３ｂは、第１スリット４を貫通可能な形状に設定したものであり、第１中仕切り３ａと交差する方向に配置され、長手方向の中央部に折れ線８を有するとともに、この折れ線８と直交する方向の両端部に、第１スリット４に係合する一対の嵌合溝９を有するものである。
【００２４】
本実施形態の中仕切り３ａ，３ｂは、同じ高さとすることが好ましい。また、開閉部材７の開閉を円滑にするため、一対の切り込み５ａを開閉部材７の両端部に設けてもよい。切り込み５ａは切り込み５と平行であることが好ましい。
【００２５】
中仕切り３の組立について説明する。中仕切り３ｂは、折れ線８でＶ字形状に折り曲げられ、中仕切り３ａに対して直交状態に置き、中仕切り３ｂのＶ字形状と中仕切り３ａの傾斜折れ線６とを突き合わせる。中仕切り３ｂを中仕切り３ａに対して側方から貫通させる。その際、開閉部材７は左右に開き、図３に示すような撓み変形状態とされ、この状態で中仕切り３ａのスリット４を含む略三角形のスペースに対して側方から貫通させる（図３参照）。
【００２６】
嵌合溝９が第１スリット４の位置まで到達すると、傾斜折れ線６を中心として中仕切り３ｂのＶ字形状を拡開させて水平になるまで展開させる。このとき、開閉部材７は自然に閉じて元の位置まで戻る。そして、嵌合溝９を第１スリット４の端部に嵌め込み、固定させる。
【００２７】
なお、本実施形態における中仕切り３の数は２枚としてあるが、枚数は、収容する物品に応じて任意に設定できる。図４に示す他の例では、第１中仕切り３ａ、第２中仕切り３ｂがそれぞれ３枚から構成される。
【００２８】
上記の構造により、組仕切り体１は全体として折り畳みが可能であり、保管場所の省スペースを図ることができる。また、仕切りの折れを最小限に留めることができる。中仕切り３ａの下部の隙間をなくすことにより、製品の中仕切り３の下部への潜り込みを防止できる。さらに、材料の低減を図ることができる。
【００２９】
次に、外枠２同士の連結構造について説明する。図５（ａ）に示す通り、外枠２の一端部に台形形状の第２スリット１０と、第２スリット１０の内側領域に形成される案内片１１と、第２スリットの屈曲点から延び出す折れ線１２と、折り曲げ片１３と、を備えている。
【００３０】
また、第２スリット１０は台形の頂辺に相当する部分が外枠２の短手方向と平行に配置され、そこから、台形の傾斜片に相当する部分が左右対称に延び出し、また、折れ線１２が頂辺と同じ方向に延長されている。
【００３１】
図５（ｂ）に示す通り、外枠２の他端部には、他の外枠２の第２スリット１０に係合し、基部の両側の短手方向に設けた一対の切り込み１４と、これに連続する短手方向に延び出す折れ線１５を備える折り曲げ片１６を備える。この折り曲げ片１６は第２スリット１０を貫通可能な形状に設定したものである。この折り曲げ片１６は折れ線１７について折り曲げ可能であり、この折れ線１７は折れ線１５と直交している。
【００３２】
外枠２の組立について図６（ａ）〜（ｄ）を参照して説明する。２枚の外枠２をそれぞれ中央部で９０度に折り曲げ、四角形枠状に配置し、コーナーの２か所の位置で、図６（ａ）に示す通り、平行状態で端部を突き合わせる。図６（ｂ）に示す通り、第２スリット１０に折り曲げ片１６の先端から差込み、図６（ｃ）に示す通り、さらに押し込むと、折り曲げ片１６が第２スリット１０の台形形状に対応して折れ線１７で台形形状に折り返されながら差し込まれ、また、折り曲げ片１３も折り曲げられる。図６（ｄ）に示す通り、折り曲げ片１６が第２スリット１０を貫通すると、折れ線１７で拡開し、元の位置まで戻り、折り曲げ片１３に対して直交状態になる。
【００３３】
上記の構造により、外枠２の連結部から溶着部分をなくし、別加工を排除し、ＣＯ２の削減が可能である。外枠２の差込み穴形状を台形形状にすることで、コーナー部の固定ができ、差し込みの外れを防止できる。また、外側から見て突出した部分がなく、邪魔にならず、美観にも優れている。さらに、仕切り全体を折り畳むことができ、保管場所の省スペース化が可能である。
【００３４】
次に、外枠２と中仕切り３の連結構造について説明する。図７（ａ）に示す通り、外枠２に第３スリット１８を備えている。また、図７（ｂ）に示す通り、中仕切り３に、一対の折り曲げ片１９と、折り曲げ片１９に両側を挟まれ、折り曲げ片１９よりも大きな突出片２０と、を備えている。突出片２０は第３スリットを貫通可能な形状に設定したものである。
【００３５】
折り曲げ片１９と突出片２０の間に、長手方向に間隔を置いて形成される一対の切り込み２１と、切り込み２１に直交して連続し短手方向に中仕切り３の端辺に向かって間隔を置いて形成される第１折れ線２２と、を備えている。
【００３６】
突出片２０の上下辺にそれぞれ短手方向に形成され、第１折れ線２２と平行に外側の位置に間隔を置いて形成される一対の第２折れ線２３と、この第２折れ線２３と連続し、内側領域に屈曲して形成されるＵ字形状の切り込み２４と、切り込み２４により形成され、中央ライン２５ａと両側ライン２５ｂとを有する係止片２５と、を備えている。突出片２０は、第２折れ線２３により、折り曲げ片２０ａと、非折り曲げ片２０ｂの２つの部分に分けられている。
【００３７】
外枠２と中仕切り３の連結について図８、図９を参照して説明する。図８（ａ）に示す通り、第３スリット１８に突出片２０を差込み、一対の折り曲げ片１９を折り曲げ、さらに押し込み、図８（ｂ）に示す通りの差込み状態とする。このとき係止片２５の中央ライン２５ａが第３スリット１８と合致し、外枠２の外側に隣接して位置する。
【００３８】
次に、図９（ａ）に示す通り、折れ線２３で突出片２０を矢印Ｘ方向に折り曲げると、係止片２５が第３スリット１８に対して折り曲げ片２０ａとは反対側に位置する。さらに折り曲げ片２０ａを折り曲げると、折り曲げ片２０ａと係止片２５が、外枠２に対して平行になる。
【００３９】
図９（ｂ）に示す通り、中仕切り３を内側に矢印Ｙ方向に示す通り引っ張り戻し、折り曲げ片１９を展開して元に戻す。折れ線２３が第２スリット１８の領域に位置する。図１に示す通り、組立後は、係止片２５が折り曲げられた結果、中仕切り３は穴２６が開いた状態となるが、係止片２５が折り曲げ片２０ａよりも小さいので問題ない。
【００４０】
上記の構造により、外枠２と中仕切り３の連結部から溶着部分をなくし、別加工を排除し、ＣＯ２の削減が可能である。また、仕切り全体を折り畳むことができ、保管場所の省スペース化が可能である。折り曲げ片２０ａ、係止片２５により中仕切り３の外枠２からの抜けを防止できる。組立時、折り曲げ片１９が折り曲がることにより、第３スリット１８を細長い形状にすることができ、特許文献３の作業用のスリット２ｂと対比して、そのスペースをほとんどなくすことができ、第３スリット１８を通じての収容する製品同士の干渉を防止できる。
【００４１】
組立工程を説明する。図３に示す通り、中仕切り３ａと中仕切り３ｂとを連結する（第１工程）。次に、図６に示す通り、外枠２を組み立てる（第２工程）。最後に、図８、図９に示す通り、外枠２と中仕切り３とを連結する（第３工程）。第１工程と第２工程は順序を逆にしてもよい。また、第２工程と第３工程は順序を逆にしてもよい。
【００４２】
以上のように構成された本発明の実施形態によれば、組仕切り体１を折り畳むことができ、保管場所の省スペース化が可能である。
【００４３】
外枠２同士の連結部分、外枠２と中仕切り３の連結部分が外れにくい効果がある。
【００４４】
外枠２の連結から外部に突出する部材がなく、美観を損なうこともない。
【００４５】
また、外枠２と中仕切り３の連結部分において、特許文献３の作業用のスリット２ｂと対比して、そのスペースをほとんどなくすことができ、第３スリット１８を通じての収容する製品同士の干渉を防止できる。
【００４６】
外枠２同士、或いは、外枠２と中仕切り３の連結部から溶着部分をなくし、別加工を排除し、ＣＯ２の削減が可能である。
【００４７】
以上、本発明の組仕切り体１について、好ましい実施形態を示して説明したが、本発明は、前述した実施形態にのみ限定されるものではなく、本発明の範囲内で種々の変更実施が可能であることは無論である。
例えば、前記実施形態では、第１スリット４は中仕切り３の長手方向に対して垂直であるが、傾斜させてもよい。また、外枠２の第２スリット１０の差込み穴形状を台形形状にしたが、Ｕ字形状、Ｖ字形状、その他の形状としてもよい。
【符号の説明】
【００４８】
１・・・組仕切り体
２・・・外枠
３・・・中仕切り
３ａ・・・第１中仕切り
３ｂ・・・第２中仕切り
４・・・第１スリット
５・・・切り込み
６・・・傾斜折れ線
７・・・開閉部材
８・・・折れ線
９・・・嵌合溝
１０・・・第２スリット
１１・・・案内片
１２・・・折れ線
１３・・・折り曲げ片
１４・・・切り込み
１５・・・折れ線
１６・・・折り曲げ片
１７・・・折れ線
１８・・・第３スリット
１９・・・折り曲げ片
２０・・・突出片
２０ａ・・・折り曲げ片
２０ｂ・・・非折り曲げ片
２１・・・切り込み
２２・・・折れ線
２３・・・折れ線
２４・・・切り込み
２５・・・係止片
【図１】
0003171196.tif 000003
【図２】
0003171196.tif 000004
【図３】
0003171196.tif 000005
【図４】
0003171196.tif 000006
【図５】
0003171196.tif 000007
【図６】
0003171196.tif 000008
【図７】
0003171196.tif 000009
【図８】
0003171196.tif 000010
【図９】
0003171196.tif 000011